(57)【要約】【課題】画面の端部で偽色が認識されにくい画像表示装置を提供する。【解決手段】画像表示領域２３Ａの左端部の任意の赤色サブ画素１５２を第１サブ画素とし、画像表示領域２３Ａの左端部以外の任意の赤色サブ画素１５２を第２サブ画素としたときに、第１サブ画素と第２サブ画素に対して外部から同じ階調の画像データを供給したときに、第１サブ画素で表示される画像の明るさが第２サブ画素で表示される画像の明るさよりも小さくなるように構成されている。また、画像表示領域２３Ａの右端部の任意の青色サブ画素１５４を第１サブ画素とし、画像表示領域２３Ａの右端部以外の任意の青色サブ画素１５４を第２サブ画素としたときに、第１サブ画素と第２サブ画素に対して外部から同じ階調の画像データを供給したときに、第１サブ画素で表示される画像の明るさが第２サブ画素で表示される画像の明るさよりも小さくなるように構成されている。【選択図】図３
2011197084.tif 000002
【特許請求の範囲】
【請求項１】
複数の画素が第１方向及び第２方向に配列されてなる画像表示領域を有し、１画素内に複数のサブ画素が設けられ、互いに異なる色を表示する複数のサブ画素が前記第１方向に配列され、互いに同じ色を表示する複数のサブ画素が前記第２方向に配列されてなる画像表示装置であって、
前記画像表示領域において前記第１方向の端部に位置する任意のサブ画素を第１サブ画素とし、前記画像表示領域において前記第１方向の端部以外の位置にあるサブ画素であって前記第１サブ画素と同じ色を表示する任意のサブ画素を第２サブ画素としたときに、
前記第１サブ画素と前記第２サブ画素に対して外部から同じ階調の画像データを供給したときに、前記第１サブ画素で表示される画像の明るさが前記第２サブ画素で表示される画像の明るさよりも小さいことを特徴とする画像表示装置。
【請求項２】
前記第１サブ画素と前記第１方向において隣接するサブ画素を第３サブ画素とし、前記第２サブ画素と前記第１方向において隣接するサブ画素であって前記第３サブ画素と同じ色を表示するサブ画素を第４サブ画素としたときに、
前記第３サブ画素と前記第４サブ画素に対して外部から同じ階調の画像データを供給したときに、前記第３サブ画素で表示される画像の明るさが、前記第４サブ画素で表示される画像の明るさよりも小さいことを特徴とする請求項１に記載の画像表示装置。
【請求項３】
前記サブ画素で表示される画像の明るさは、前記サブ画素の開口率を異ならせることによって調節されることを特徴とする請求項２に記載の画像表示装置。
【請求項４】
１画素内に、赤色を表示する赤色サブ画素と、緑色を表示する緑色サブ画素と、青色を表示する青色サブ画素とが、前記第１方向に沿ってこの順に配列されていることを特徴とする請求項３に記載の画像表示装置。
【請求項５】
前記赤色サブ画素が前記第１サブ画素、前記緑色サブ画素が前記第３サブ画素となる前記画像表示領域の端部において、前記赤色サブ画素の開口率をＡｒ、前記緑色サブ画素の開口率をＡｇとしたときに、前記Ａｒと前記Ａｇとが以下の関係式（１）を満たすことを特徴とする請求項４に記載の画像表示装置。
【数１】
2011197084.tif 000018
【請求項６】
前記青色サブ画素が前記第１サブ画素、前記緑色サブ画素が前記第３サブ画素となる前記画像表示領域の端部において、前記青色サブ画素の開口率をＡｂ、前記緑色サブ画素の開口率をＡｇとしたときに、前記Ａｂと前記Ａｇとが以下の関係式（２）を満たすことを特徴とする請求項４に記載の画像表示装置。
【数２】
2011197084.tif 000019
【請求項７】
前記赤色サブ画素が前記第１サブ画素、前記緑色サブ画素が前記第３サブ画素となる前記画像表示領域の端部において、前記赤色サブ画素の開口率をＡｒ、前記緑色サブ画素の開口率をＡｇとしたときに、前記Ａｒと前記Ａｇとが以下の関係式（３）を満たすことを特徴とする請求項４に記載の画像表示装置。
【数３】
2011197084.tif 000020
【請求項８】
前記青色サブ画素が前記第１サブ画素、前記緑色サブ画素が前記第３サブ画素となる前記画像表示領域の端部において、前記青色サブ画素の開口率をＡｂ、前記緑色サブ画素の開口率をＡｇとしたときに、前記Ａｂと前記Ａｇとが以下の関係式（４）を満たすことを特徴とする請求項４に記載の画像表示装置。
【数４】
2011197084.tif 000021
【請求項９】
前記サブ画素に対して外部から入力される画像データを補正する画像処理部を有し、前記サブ画素で表示される画像の明るさは、前記画像処理部による前記画像データの補正量を異ならせることによって調節されることを特徴とする請求項２に記載の画像表示装置。
【請求項１０】
前記画像処理部は、外部から入力される画像データの階調値をαｉ、表示可能な最大の階調値をαＭ、ガンマ補正によるγ値をγ、前記補正量をβとしたときに、以下の式（５）に基づいて、前記サブ画素に入力する補正後の画像データの階調値αｏを決定することを特徴とする請求項９に記載の画像表示装置。
【数５】
2011197084.tif 000022
【発明の詳細な説明】
【技術分野】
【０００１】
本発明は、画像表示装置に関するものである。
【背景技術】
【０００２】
従来より、１画素内に複数のサブ画素を備えた画像表示装置が知られている。この種の画像表示装置では、サブ画素の並びに従って、画像のエッジ部に偽色が発生することが知られている。例えば、赤、緑、青の３種類のサブ画素を画面の左端から順にストライプ状に配列した画像表示装置では、白い背景画像の中に黒い線を１本表示すると、黒い線の左側のエッジ部に、青色サブ画素に対応した青色の偽色が発生し、黒い線の右側のエッジ部に、赤色サブ画素に対応した赤色の偽色が発生する場合がある。
【０００３】
このような偽色は、画像のエッジ部のサブ画素の色が人間の眼に強く認識されるために、本来白色が表示されている部分に、赤色若しくは青色の色づきが発生しているように感じられる現象である。画面を遠くから見る場合には、このような偽色は殆ど認識されないが、携帯情報端末等のように画面を間近で見る場合（例えば、画面と人間の眼との距離が３０ｃｍ〜５０ｃｍである場合）には、偽色の影響は無視できなくなる。
【０００４】
そこで、特許文献１では、サブ画素の種類を４種類以上とし、それらのサブ画素の配置を工夫することで、偽色の発生を抑制している。例えば、特許文献１の図２では、１画素内に配置するサブ画素を赤、緑、青、エメラルドグリーン、黄の５種類とし、それらをこの順にストライプ状に配列する方法を提案している。
【先行技術文献】
【特許文献】
【０００５】
【特許文献１】特開２００７−２４０６５９号公報
【発明の概要】
【発明が解決しようとする課題】
【０００６】
特許文献１の画像表示装置は、画像表示領域内の全てのサブ画素を特定の配列で配置したものである。そのため、偽色の発生は画面全体で抑制される。しかし、特許文献１の画像表示装置は、サブ画素の種類や配置が特定のものに限定されるため、通常の赤、緑、青の３種類のサブ画素をストライプ状に配列した画像表示装置に適用することができない。
【０００７】
また、このような偽色は、通常、画面の端部で顕在化する。例えば、画面の左端部及び右端部では、サブ画素の並びに従って、特定の色のサブ画素のみが配置される。そのため、その色が人間の眼に強く印象付けられる。また、画面の端部近傍では、背景画像として、白色や灰色等の無彩色の画像が表示されることが多い。これらの背景画像は、同じような色調で長時間固定されることが多いため、背景画像の端部では、偽色が人間の眼に認識され易くなり、このことが画面の左端部及び右端部での偽色の原因となる。
【０００８】
本発明の目的は、画面の端部で偽色が認識されにくい画像表示装置を提供することにある。
【課題を解決するための手段】
【０００９】
本発明の画像表示装置は、複数の画素が第１方向及び第２方向に配列されてなる画像表示領域を有し、１画素内に複数のサブ画素が設けられ、互いに異なる色を表示する複数のサブ画素が前記第１方向に配列され、互いに同じ色を表示する複数のサブ画素が前記第２方向に配列されてなる画像表示装置であって、前記画像表示領域において前記第１方向の端部に位置する任意のサブ画素を第１サブ画素とし、前記画像表示領域において前記第１方向の端部以外の位置にあるサブ画素であって前記第１サブ画素と同じ色を表示する任意のサブ画素を第２サブ画素としたときに、前記第１サブ画素と前記第２サブ画素に対して外部から同じ階調の画像データを供給したときに、前記第１サブ画素で表示される画像の明るさが前記第２サブ画素で表示される画像の明るさよりも小さいことを特徴とする。
【００１０】
この構成によれば、偽色の原因となる画像表示領域の端部のサブ画素の明るさが低減されるため、当該サブ画素の色が人間の眼に強く認識されることはない。そのため、偽色の発生が抑えられ、高画質な画像表示装置を提供することができる。
【００１１】
前記第１サブ画素と前記第１方向において隣接するサブ画素を第３サブ画素とし、前記第２サブ画素と前記第１方向において隣接するサブ画素であって前記第３サブ画素と同じ色を表示するサブ画素を第４サブ画素としたときに、前記第３サブ画素と前記第４サブ画素に対して外部から同じ階調の画像データを供給したときに、前記第３サブ画素で表示される画像の明るさが、前記第４サブ画素で表示される画像の明るさよりも小さいことが望ましい。
【００１２】
この構成によれば、第１サブ画素の明るさのみを低減する場合に比べて、偽色の発生を抑えることができる。
【００１３】
前記サブ画素で表示される画像の明るさは、前記サブ画素の開口率を異ならせることによって調節されることが望ましい。
【００１４】
この構成によれば、画像データを補正するによってサブ画素の明るさを調節する必要がないので、駆動が容易になる。
【００１５】
１画素内に、赤色を表示する赤色サブ画素と、緑色を表示する緑色サブ画素と、青色を表示する青色サブ画素とが、前記第１方向に沿ってこの順に配列されていることが望ましい。この場合、各サブ画素の開口率は以下の方法により決定することができる。
【００１６】
第１の方法としては、前記赤色サブ画素が前記第１サブ画素、前記緑色サブ画素が前記第３サブ画素となる前記画像表示領域の端部において、前記赤色サブ画素の開口率をＡｒ、前記緑色サブ画素の開口率をＡｇとしたときに、前記Ａｒと前記Ａｇとを以下の関係式（１）を満たすように決定することができる。
【００１７】
【数１】
2011197084.tif 000003
【００１８】
第２の方法としては、前記青色サブ画素が前記第１サブ画素、前記緑色サブ画素が前記第３サブ画素となる前記画像表示領域の端部において、前記青色サブ画素の開口率をＡｂ、前記緑色サブ画素の開口率をＡｇとしたときに、前記Ａｂと前記Ａｇとを以下の関係式（２）を満たすように決定することができる。
【００１９】
【数２】
2011197084.tif 000004
【００２０】
第３の方法としては、前記赤色サブ画素が前記第１サブ画素、前記緑色サブ画素が前記第３サブ画素となる前記画像表示領域の端部において、前記赤色サブ画素の開口率をＡｒ、前記緑色サブ画素の開口率をＡｇとしたときに、前記Ａｒと前記Ａｇとを以下の関係式（３）を満たすように決定することができる。
【００２１】
【数３】
2011197084.tif 000005
【００２２】
第４の方法としては、前記青色サブ画素が前記第１サブ画素、前記緑色サブ画素が前記第３サブ画素となる前記画像表示領域の端部において、前記青色サブ画素の開口率をＡｂ、前記緑色サブ画素の開口率をＡｇとしたときに、前記Ａｂと前記Ａｇとを以下の関係式（４）を満たすように決定することができる。
【００２３】
【数４】
2011197084.tif 000006
【００２４】
前記サブ画素に対して外部から入力される画像データを補正する画像処理部を有し、前記サブ画素で表示される画像の明るさは、前記画像処理部による前記画像データの補正量を異ならせることによって調節されることが望ましい。
【００２５】
この構成によれば、サブ画素の開口率を部分的に調節する必要がないので、従来用いられる画像表示装置の構成をそのまま用いることができる。画像表示装置を製造する際の設計変更が不要なので、製造が容易になる。
【００２６】
前記画像処理部は、外部から入力される画像データの階調値をαｉ、表示可能な最大の階調値をαＭ、ガンマ補正値をγ、前記補正量をβとしたときに、以下の式（５）に基づいて、前記サブ画素に入力する補正後の画像データの階調値αｏを決定することが望ましい。
【００２７】
【数５】
2011197084.tif 000007
【００２８】
この構成によれば、ガンマ補正に付随して階調の補正を行うことができる。画像表示装置のサブ画素の構成は従来のものを流用することができる。よって、ガンマ補正の計算結果を記載したルックアップテーブルの内容を変更するのみで、本発明の効果を容易に得ることができる。
【図面の簡単な説明】
【００２９】
【図１】第１実施形態の画像表示装置の概略構成を示すブロック図である。
【図２】同画像表示装置の表示部の具体的な構成を示す斜視図である。
【図３】同表示部に設けられた画像表示領域の平面図である。
【図４】S-CIELABの計算手順を示す図である。
【図５】S-CIELABの計算手順で用いられるパラメーターである。
【図６】S-CIELABの計算手順で用いられるパラメーターである。
【図７】画像表示領域の左端部のサブ画素の開口率の組み合わせを示す図である。
【図８】画像表示領域の右端部のサブ画素の開口率の組み合わせを示す図である。
【図９】画像表示領域の左側半分の領域の画質の評価結果である。
【図１０】画像表示領域の右側半分の領域の画質の評価結果である。
【図１１】画質評価指標を色差の平均値とした場合の画面左半分の画質評価結果である。
【図１２】画質評価指標を色差の平均値とした場合の画面右端部の画質評価結果である。
【図１３】画質評価指標を色差の最大値とした場合の画面左端部の画質評価結果である。
【図１４】画質評価指標を色差の最大値とした場合の画面右端部の画質評価結果である。
【図１５】第２実施形態の画像表示装置の概略構成を示すブロック図である。
【図１６】同画像表示装置の表示部に設けられた画像表示領域の平面図である。
【図１７】画像表示領域の左端部のサブ画素の補正量の組み合わせを示す図である。
【図１８】画像表示領域の右端部のサブ画素の補正量の組み合わせを示す図である。
【図１９】画像表示領域の左側半分の領域の画質の評価結果である。
【図２０】画像表示領域の右側半分の領域の画質の評価結果である。
【発明を実施するための形態】
【００３０】
［第１実施形態］
図１は、第１実施形態の画像表示装置１００の概略構成を示すブロック図である。
【００３１】
画像表示装置１００は、主に、画像処理部１０と、データ線駆動回路２１と、走査線駆動回路２２と、表示部２３と、を有する。画像表示装置１００は、赤色を表示する赤色サブ画素、緑色を表示する緑色サブ画素、青色を表示する青色サブ画素の３つのサブ画素を用いて画像を表示可能に構成されている。なお、以下では、「赤」、「緑」、「青」を単に「Ｒ」、「Ｇ」、「Ｂ」と表記する場合がある。
【００３２】
画像処理部１０は、Ｉ／Ｆ制御回路１１と、色変換回路１２と、ＶＲＡＭ１３と、アドレス制御回路１４と、テーブル格納メモリ１５と、γ補正回路１６と、を備える。Ｉ／Ｆ制御回路１１は、外部（例えばカメラなど）から画像データと制御コマンドを取得し、画像データｄ１を色変換回路１２に供給する。外部から供給される画像データは、Ｒ、Ｇ、Ｂの３色で構成されている。
【００３３】
色変換回路１２は、テーブル格納メモリ１５に記憶されたデータなどを参照して色変換などの画像処理を行う。色変換回路１２で画像処理された画像データｄ２は、ＶＲＡＭ１３に書き込まれる。ＶＲＡＭ１３に書き込まれた画像データｄ２は、アドレス制御回路からの制御信号ｄ２１に基づいて、γ補正回路１６によって画像データｄ３として読み出されると共に、走査線駆動回路２２によってアドレスデータ（走査線駆動回路２２はアドレスデータを元に同期をとるため）ｄ４として読み出される。γ補正回路１６は、テーブル格納メモリ１５に記憶されたデータ（ルックアップテーブル）などを参照して、取得した画像データｄ３に対してガンマ補正を行う。γ補正回路１６は、ガンマ補正後の画像データｄ５をデータ線駆動回路２１に供給する。
【００３４】
画像処理部１０は、外部から入力される画像データの階調値をαｉ、表示可能な最大の階調値をαＭ、ガンマ補正値をγとしたときに、以下の式（６）に基づいて、サブ画素に入力する補正後の画像データの階調値αｏを決定する。計算結果は、テーブル格納メモリ１５にルックアップテーブルとして格納され、γ補正回路１６は、そのルックアップテーブルを参照して、画像データｄ３に対してガンマ補正を行う。
【００３５】
【数６】
2011197084.tif 000008
【００３６】
データ線駆動回路２１は、３０７２本のデータ線に対してデータ線駆動信号Ｘ１〜Ｘ３０７２を供給する。走査線駆動回路２２は、７６８本の走査線に対して走査線駆動信号Ｙ１〜Ｙ７６８を供給する。データ線駆動回路２１と走査線駆動回路２２は、同期して表示パネル２３を駆動する。表示部２３は、液晶（ＬＣＤ）によって構成され、ＲＧＢの３色を用いて画像を表示する。表示部２３は、ＲＧＢに対応する３つのサブ画素を一組として有する単位画素（以下、単に「画素」と呼ぶ。）を、「縦７６８個×横１０２４個」有するＸＧＡサイズによって構成されている。そのため、データ線の数が「１０２４×３＝３０７２本」となっている。表示部２３は、走査線及びデータ線に電圧を印加されることによって、表示すべき文字や映像などの画像を表示する。
【００３７】
図２は、表示部２３の具体的な構成を示す斜視図である。ＴＦＴアレイ基板２３ｇの内側には画素電極２３ｆが形成され、対向基板２３ｂの内側には共通電極２３ｄが形成されている。対向基板２３ｂと共通電極２３ｄの間には、カラーフィルタ２３ｃが形成されている。ＴＦＴアレイ基板２３ｇと対向基板２３ｂの外側には、バックライトユニット２３ｉと、上下偏光板２３ａ、２３ｈとが形成されている。
【００３８】
ＴＦＴアレイ基板２３ｇ及び対向基板２３ｂは、ガラス・プラスチック等の透明基板によって構成されている。画素電極２３ｆ及び共通電極２３ｄは、ＩＴＯ（インジウムスズ酸化物）等の透明導電体によって形成されている。画素電極２３ｆは、ＴＦＴアレイ基板２３ｇに設けられたＴＦＴ（Thin film Transistor）に接続されており、ＴＦＴのスイッチング駆動に応じて、共通電極２３ｄと画素電極２３ｆの間の液晶層２３ｅに電圧を付与するようになっている。液晶層２３ｅは、共通電極２３ｄと画素電極２３ｆによって付与された電圧値に応じて配列が変化する液晶分子を有している。
【００３９】
液晶層２３ｅ及び上下偏光板２３ａ、２３ｈにおいては、液晶層２３ｅに付与される電圧値に応じて液晶分子の配列が変化することで、液晶層２３ｅ及び上下偏光板２３ａ、２３ｈを透過する光量が変わる。液晶層２３ｅは、バックライトユニット２３ｉ側から入射する光の光量を制御して、観察者側に所定の透光量で透過させる。バックライトユニット２３ｉは、光源と導光板によって構成されている。光源から発光した光は導光板内部に均一に広げられ、図２中の矢印で示す方向に光源光が出射されるようになっている。光源は、蛍光管や白色ＬＥＤ等から構成され、導光板は、アクリル等の樹脂から構成される。表示部２３は、バックライトユニット２３ｉの発光を矢印で示す方向に向けて出射し、対向基板２３ｂ側から取り出す透過型液晶表示装置である。即ち、バックライトユニット２３ｉの光源光を利用して液晶表示を行うようになっている。
【００４０】
図３は、表示部２３に設けられた画像表示領域２３Ａの平面図である。図３では、横方向に４個、縦方向に４個の画素１５１が図示されているが、実際には、横方向に１０２４個、縦方向に７６８個の画素１５１が画像表示領域２３Ａに設けられている。なお、「横方向」とは、走査線に平行な方向であり、本発明の「第１方向」に相当する。「縦方向」とは、走査線に垂直な方向であり、本発明の「第２方向」に相当する。
【００４１】
画像表示領域２３Ａには、複数の画素１５１が縦方向及び横方向に配列されている。１つの画素１５１には、赤色サブ画素１５２、緑色サブ画素１５３、青色サブ画素１５４の３つのサブ画素が左側から順に設けられている。画素１５１の縦横比は１：１であり、各サブ画素の縦横比は、概ね３：１となっている。赤色サブ画素１５２、緑色サブ画素１５３、青色サブ画素１５４には、それぞれの色に応じた赤色、緑色、青色のカラーフィルタが配置されている。各サブ画素には、画素電極２３ｆが設けられており、画素電極２３ｆとカラーフィルタとが重なる領域がサブ画素の領域となっている。画像表示領域２３Ａには、ストライプ配列が採用されており、同じ色を表示するサブ画素が縦方向に配列され、異なる色を表示するサブ画素が横方向に配列されている。
【００４２】
図３において、符号１５５は、画像表示領域２３Ａの最外周部に位置する複数の画素１５１のうち、画像表示領域２３Ａの左端部において縦方向に配列している複数の画素１５１によって構成される第１画素列を示す。また、符号１５６は、画像表示領域２３Ａの最外周部に位置する複数の画素１５１のうち、画像表示領域２３Ａの右端部において縦方向に配列している複数の画素１５１によって構成される第２画素列を示す。
【００４３】
第１画素列１５５の赤色サブ画素１５２と重なる位置には、第１画素列１５５に含まれる任意の赤色サブ画素１５２の開口率を第１画素列１５５以外の任意の赤色サブ画素１５２の開口率よりも小さくするための遮光膜１５７が設けられている。
【００４４】
第１画素列１５５の緑色サブ画素１５３と重なる位置には、第１画素列１５５の任意の緑色サブ画素１５３の開口率を第１画素列１５５及び第２画素列１５６以外の任意の緑色サブ画素１５３の開口率よりも小さくするための遮光膜１５８が設けられている。
【００４５】
第２画素列１５６の青色サブ画素１５４と重なる位置には、第２画素列１５６の任意の青色サブ画素１５４の開口率を第２画素列１５６以外の任意の青色サブ画素１５４の開口率よりも小さくするための遮光膜１５９が設けられている。
【００４６】
第２画素列１５６の緑色サブ画素１５３と重なる位置には、第２画素列１５６の任意の緑色サブ画素１５３の開口率を第２画素列１５６及び第１画素列１５５以外の任意の緑色サブ画素１５３の開口率よりも小さくするための遮光膜１６０が設けられている。
【００４７】
画像表示装置１００では、第１画素列１５５に含まれる任意の赤色サブ画素１５２を第１サブ画素とし、第１画素列１５５に含まれない任意の赤色サブ画素１５２を第２サブ画素とすると、第１サブ画素の開口率が第２サブ画素の開口率よりも小さくなっている。そのため、第１サブ画素と第２サブ画素に対して外部から同じ階調の画像データを供給すると、第１サブ画素で表示される画像の明るさは第２サブ画素で表示される画像の明るさよりも小さくなる。
【００４８】
また、第２画素列１５６に含まれる任意の青色サブ画素１５４を第１サブ画素とし、第２画素列１５６に含まれない任意の青色サブ画素１５４を第２サブ画素とすると、第１サブ画素の開口率が第２サブ画素の開口率よりも小さくなっている。そのため、第１サブ画素と第２サブ画素に対して外部から同じ階調の画像データを供給すると、第１サブ画素で表示される画像の明るさは、第２サブ画素で表示される画像の明るさよりも小さくなる。
【００４９】
また、画像表示装置１００では、第１画素列１５５に含まれる任意の赤色サブ画素１５２と横方向において隣接する緑色サブ画素１５３を第３サブ画素とし、第１画素列１５５及び第２画素列１５６に含まれない任意の赤色サブ画素１５２と横方向において隣接する緑色サブ画素１５３を第４サブ画素とすると、第３サブ画素の開口率は第４サブ画素の開口率よりも小さくなっている。そのため、第３サブ画素と第４サブ画素に対して外部から同じ階調の画像データを供給すると、第３サブ画素で表示される画像の明るさは、第４サブ画素で表示される画像の明るさよりも小さくなる。
【００５０】
また、第２画素列１５６に含まれる任意の青色サブ画素１５４と横方向において隣接する緑色サブ画素１５３を第３サブ画素とし、第２画素列１５６に含まれない任意の青色サブ画素１５４と横方向において隣接する緑色サブ画素１５３を第４サブ画素とすると、第３サブ画素の開口率は第４サブ画素の開口率よりも小さくなっている。そのため、第３サブ画素と第４サブ画素に対して外部から同じ階調の画像データを供給すると、第３サブ画素で表示される画像の明るさは、第４サブ画素で表示される画像の明るさよりも小さくなる。
【００５１】
第１画素列１５５に含まれる赤色サブ画素１５２及び緑色サブ画素１５３の開口率と、第２画素列１５６に含まれる青色サブ画素１５４及び緑色サブ画素１５３の開口率は、S-CIELAB（Spatial CIELAB）による視覚シミュレーションによって決定される。
【００５２】
S-CIELABは、X Zhang等によって提案された画像評価方法であり、主観評価と相関がとれたカラー画像の色再現性を適切に評価できる客観評価方法として知られている。S-CIELABの評価方法には、均等色空間での距離に視覚の空間周波数特性が組み込まれている。S-CIELABを用いることにより、画像表示装置１００で表示した画像をある距離から観察したときの人間の見え方を再現し、画質を評価することができる。
【００５３】
図４は、S-CIELABの計算手順を示す図である。
【００５４】
まず、入力画像として、オリジナル画像（Ideal Image）とディスプレイ画像（RGB-Stripe Image）を入力する。オリジナル画像は、サブ画素構造を持たない理想のディスプレイの画像であり、ディスプレイ画像は、サブ画素構造を持つディスプレイの画像である。オリジナル画像としては、例えば、複数の色画像を同時に重ね合わせる同時加法混色や、複数の色画像を時分割で重ね合わせる継時加法混色によって得られた画像等がある。ディスプレイ画像は、図３に示したような複数のサブ画素の色を並置混色したものである。
【００５５】
本実施形態では、オリジナル画像及びディスプレイ画像として、灰色の画像を表示する。灰色の画像は、表示可能な最大の階調を２５５階調としたときに、赤１２７階調、緑１２７階調、青１２７階調で構成される画像である。
【００５６】
次に、以下の手順に従って、オリジナル画像とディスプレイ画像をある距離から観察したときの人間の見え方を再現する。
【００５７】
まず、式（７）により、ＲＧＢの画像をＸＹＺ表色系のＸＹＺ値（予想値）から反対色空間（Opponent Color Space）の反対色信号Ｏ１Ｏ２Ｏ３に変換する。輝度Ｏ１はLuminance、色差Ｏ２はRed-Green、色差Ｏ２はYellow-Blueに対応している。
【００５８】
【数７】
2011197084.tif 000009
【００５９】
次に、式（８）により、S-CIELAB反対色空間での画像（Ｏ１，Ｏ２，Ｏ３）と、各チャンネルに対応した３つの異なる視覚フィルタとの畳み込み積分を行い、視覚フィルタ処理後の画像（Ｏ１′，Ｏ２′，Ｏ３′）を計算する。
【００６０】
【数８】
2011197084.tif 000010
【００６１】
各チャンネルの視覚フィルタは、図５に示される分散の異なる複数のガウス関数を、式（９）及び式（１０）により合成して得られ、輝度に対して色差の空間分解能が大幅に小さくなっている。最後に、Ｏ１′，Ｏ２′，Ｏ３′をＸＹＺに逆変換し、Ｌ＊ａ＊ｂ＊に変換する。
【００６２】
【数９】
2011197084.tif 000011
【００６３】
【数１０】
2011197084.tif 000012
【００６４】
以上の手順により得られたオリジナル画像の再現画像として、ディスプレイ表示画像の再現画像を、Ｌ＊ｃ＊ｈ＊空間で画素毎に色差ΔＥ＊９４を求め、差分画像（Difference Image）を得る。
【００６５】
次に、第１画素列１５５を含む画像表示領域２３Ａの左側半分の領域における色差ΔＥ＊９４の平均値と最大値を求め、画質の評価指標として算出する。また、第２画素列１５６を含む画像表示領域２３Ａの右側半分の領域における色差ΔＥ＊９４の平均値と最大値を求め、画質の評価指標として算出する。
【００６６】
S-CIELABの計算条件は、次の通りである。
・視距離：３０ｃｍ
・画素構造：ＲＧＢストライプ配置
・解像度：１３２ｐｐｉ
（画素数：１０２４×７６８ピクセル）
（サイズ：９．７インチ）
・色特性：図６
・γ：２．２
・入力画像：グレー画像
（ＲＧＢ＝［１２７，１２７，１２７］。ただし、表示可能な最大の階調は２５５）
・第１画素列の各サブ画素の開口率（青色サブ画素を１００％として規格化）：図７
・第２画素列の各サブ画素の開口率（赤色サブ画素を１００％として規格化）：図８
【００６７】
図９は、第１画素列１５５を含む画像表示領域２３Ａの左側半分の領域の画質の評価結果である。赤色サブ画素１５２の開口率Ａｒを１００％、８０％、６０％、４０％、２０％、０％の６段階で変化させ、緑色サブ画素１５３の開口率Ａｇを１００％、８０％、６０％、４０％、２０％、０％の６段階で変化させている。なお、図９の「Ａｒ」及び「Ａｇ」は青色サブ画素１５４の開口率Ａｂを１００％として規格化したものである。図９中、上段側の数値は色差ΔＥ＊９４の平均値であり、下段側の数値は色差ΔＥ＊９４の最大値である。
【００６８】
図９において（Ａｒ、Ａｇ）＝（１００％、１００％）は、従来の構成である。（Ａｒ、Ａｇ）＝（１００％、１００％）における色差ΔＥ＊９４の平均値は３．８０であり、色差ΔＥ＊９４の最大値は１８．５５である。これよりも色差ΔＥ＊９４の平均値又は最大値の数値が小さければ、従来よりも偽色の発生が抑えられることを意味する。偽色の大きさは、色差の平均値で評価しても良く、最大値で評価しても良い。
【００６９】
図９に示すように、赤色サブ画素の開口率Ａｒと緑色サブ画素の開口率Ａｇを適切に調節することで、偽色の発生を抑えることができる。赤色サブ画素の開口率Ａｒを小さくすると、偽色の発生は概ね抑えられるが、赤色サブ画素の開口率Ａｒが小さくなりすぎると、逆に偽色は大きくなる。この理由としては、次のことが考えられる。
【００７０】
まず、画像表示領域の左端部では、赤色サブ画素が画像表示領域の外枠を構成している。そのため、赤色が人間の眼に強く印象付けられ、画像表示領域の周縁部が赤っぽく認識される。これが、画像表示領域の左端部に赤色の偽色が発生する理由である。よって、画像表示領域の左端部に配置された赤色サブ画素の開口率Ａｒを小さくすれば、このような赤の色味が低減され、赤色の偽色の発生を抑えることができる。
【００７１】
しかし、赤色サブ画素の開口率Ａｒを小さくしすぎると、今度は緑色のサブ画素の色が人間の眼に強く印象付けられてしまい、これが緑色の偽色を発生させる原因となる。よって、赤色サブ画素の開口率Ａｒを所定の範囲で適切に設計することで赤色の偽色の発生を効果的に抑制することが可能となる。
【００７２】
このことは、緑色サブ画素の開口率Ａｇを小さくしすぎた場合にも言える。緑色サブ画素の開口率Ａｇを小さくしすぎると、青色サブ画素の色が人間の眼に強く印象付けられるため、青色の偽色を発生させる可能性がある。
【００７３】
よって、赤色サブ画素の開口率Ａｒと緑色サブ画素の開口率Ａｇを所定の大きさ以上とした上で、赤色サブ画素の開口率Ａｒを緑色サブ画素の開口率Ａｇよりも小さくすれば、偽色の発生は概ね抑えられる。
【００７４】
図１０は、第２画素列１５６を含む画像表示領域２３Ａの右側半分の領域の画質の評価結果である。青色サブ画素１５４の開口率Ａｂを１００％、８０％、６０％、４０％、２０％、０％の６段階で変化させ、緑色サブ画素１５３の開口率Ａｇを１００％、８０％、６０％、４０％、２０％、０％の６段階で変化させている。なお、図１０の「Ａｂ」及び「Ａｇ」は赤色サブ画素１５２の開口率Ａｒを１００％として規格化したものである。図１０中、上段側の数値は色差ΔＥ＊９４の平均値であり、下段側の数値は色差ΔＥ＊９４の最大値である。
【００７５】
図１０において（Ａｂ、Ａｇ）＝（１００％、１００％）は、従来の構成である。（Ａｂ、Ａｇ）＝（１００％、１００％）における色差ΔＥ＊９４の平均値は５．５８であり、色差ΔＥ＊９４の最大値は１７．９８である。これよりも色差ΔＥ＊９４の平均値又は最大値の数値が小さければ、従来よりも偽色の発生が抑えられることを意味する。
【００７６】
図１０においても、図９と同様の傾向が見られる。すなわち、青色サブ画素の開口率Ａｂを小さくすると、偽色の発生は概ね抑えられるが、青色サブ画素の開口率Ａｂが小さくなりすぎると、逆に偽色は大きくなる。青色サブ画素の開口率Ａｂと緑色サブ画素の開口率Ａｇを所定の大きさ以上とした上で、青色サブ画素の開口率Ａｂを緑色サブ画素の開口率Ａｇよりも小さくすれば、偽色の発生は概ね抑えられる。
【００７７】
図１１及び図１２は、画質の評価指標を色差ΔＥ＊９４の平均値とした場合の画質の評価結果を○×で示したものである。図１１は、第１画素列を含む画像表示領域の左側半分の領域の画質の評価結果であり、図１２は、第２画素列を含む画像表示領域の右側半分の領域の画質の評価結果である。図１１及び図１２では、偽色が従来よりも抑えられた場合を「○」とし、偽色が従来と同じか大きくなる場合を「×」としている。
【００７８】
図１１によれば、画像表示領域の左端部の赤色サブ画素の開口率Ａｒと緑色サブ画素の開口率Ａｇの好適な範囲は、以下の式（１１）で規定される。
【００７９】
【数１１】
2011197084.tif 000013
【００８０】
また、図１２によれば、画像表示領域の右端部の青色サブ画素の開口率Ａｂと緑色サブ画素の開口率Ａｇの好適な範囲は、以下の式（１２）で規定される。
【００８１】
【数１２】
2011197084.tif 000014
【００８２】
図１３及び図１４は、画質の評価指標を色差ΔＥ＊９４の最大値とした場合の画質の評価結果を○×で示したものである。図１３は、第１画素列を含む画像表示領域の左側半分の領域の画質の評価結果であり、図１４は、第２画素列を含む画像表示領域の右側半分の領域の画質の評価結果である。図１３及び図１４では、偽色が従来よりも抑えられた場合を「○」とし、偽色が従来と同じか大きくなる場合を「×」としている。
【００８３】
図１３によれば、画像表示領域の左端部の赤色サブ画素の開口率Ａｒと緑色サブ画素の開口率Ａｇの好適な範囲は、以下の式（１３）で規定される。
【００８４】
【数１３】
2011197084.tif 000015
【００８５】
また、図１４によれば、画像表示領域の右端部の青色サブ画素の開口率Ａｂと緑色サブ画素の開口率Ａｇの好適な範囲は、以下の式（１４）で規定される。
【００８６】
【数１４】
2011197084.tif 000016
【００８７】
本実施形態の画像表示装置１００によれば、次のような効果が得られる。まず、偽色の原因となる画像表示領域２３Ａの最外周部のサブ画素の明るさが低減されるため、当該サブ画素の色が人間の眼に強く認識されることはない。そのため、偽色の発生が抑えられ、高画質な画像表示装置を提供することができる。また、画像表示領域２３Ａの最外周部に位置するサブ画素だけでなく、それに横方向で隣接するサブ画素の開口率も調節することで、より偽色の発生を抑えることができる。
【００８８】
なお、本実施形態では、遮光膜１５７を赤色サブ画素の左端側を遮光するように配置したが、遮光膜１５７の位置はこれに限定されず、赤色サブ画素の中央部又は右端側を遮光するように配置しても良い。遮光膜１５８〜１６０についても同様である。遮光膜の位置を変更しても、図１１〜図１４に示した評価結果は変わらない。
【００８９】
また、本実施形態では、S-CIELABの計算条件として、入力画像をグレー画像としたが、赤色サブ画素、緑色サブ画素、青色サブ画素を全て最大階調（例えば２５５階調）とする白色の画像を入力画像としても良い。この場合も、図１１〜図１４に示した評価結果は変わらない。
【００９０】
［第２実施形態］
図１５は、第２実施形態の画像表示装置２００の概略構成を示すブロック図である。
【００９１】
本実施形態において第１実施形態と共通する構成については、同じ符号を付し、詳細な説明を省略する。
【００９２】
本実施形態の画像表示装置２００において第１実施形態の画像表示装置１００と異なる点は、表示部２３１のサブ画素の開口率を画像表示領域全体で全て等しくした点と、画像処理部２１０が以下の式（１５）に基づいて、サブ画素に入力する補正後の画像データの階調値αｏを決定する点である。
【００９３】
【数１５】
2011197084.tif 000017
【００９４】
ただし、αｉは外部から入力される画像データの階調値であり、αＭは表示可能な最大の階調値であり、γはガンマ補正値であり、αｏはサブ画素に入力する補正後の画像データの階調値であり、βはサブ画素毎に設定される補正量である。
【００９５】
補正量βは、画像表示領域の中央部と周縁部とで異なる値が設定されている。すなわち、画像表示領域の左端部の画素に含まれる赤色サブ画素及び緑色サブ画素と画像表示領域の右端部の画素に含まれる青色サブ画素及び緑色サブ画素の補正量βは、それ以外のサブ画素の補正量βよりも小さい値に設定されている。
【００９６】
図１６は、表示部２３１に設けられた画像表示領域２３１Ａの平面図である。図１６では、横方向に４個、縦方向に３個の画素１５１１が図示されているが、実際には、横方向に１０２４個、縦方向に７６８個の画素１５１１が画像表示領域２３１Ａに設けられている。なお、「横方向」とは、走査線に平行な方向であり、本発明の「第１方向」に相当する。「縦方向」とは、走査線に垂直な方向であり、本発明の「第２方向」に相当する。また、図１６（ａ）においてサブ画素１５２１，１５３１，１５４１内に表示される数値は、外部から供給される画像データの階調値であり、図１６（ｂ）においてサブ画素１５２１，１５３１，１５４１内に表示される数値は、γ補正回路２１６によって補正されたガンマ補正後の画像データの階調値である。
【００９７】
画像表示領域２３１Ａには、複数の画素１５１１が縦方向及び横方向に配列されている。１つの画素１５１１には、赤色サブ画素１５２１、緑色サブ画素１５３１、青色サブ画素１５４１の３つのサブ画素が含まれている。画素１５１１の縦横比は１：１であり、各サブ画素の縦横比は、概ね３：１となっている。赤色サブ画素１５２１、緑色サブ画素１５３１、青色サブ画素１５４１には、それぞれの色に応じた赤色、緑色、青色のカラーフィルタが配置されている。各サブ画素には、画素電極が設けられており、画素電極とカラーフィルタとが重なる領域がサブ画素の領域となっている。画像表示領域２３１Ａには、ストライプ配列が採用されており、同じ色を表示するサブ画素が縦方向に配列され、異なる色を表示するサブ画素が横方向に配列されている。
【００９８】
図１６において、符号１５５１は、画像表示領域２３１Ａの最外周部に位置する複数の画素１５１１のうち、画像表示領域２３１Ａの左端部において縦方向に配列している複数の画素１５１１によって構成される第１画素列を示す。また、符号１５６１は、画像表示領域２３１Ａの最外周部に位置する複数の画素１５１１のうち、画像表示領域２３１Ａの右端部において縦方向に配列している複数の画素１５１１によって構成される第２画素列を示す。
【００９９】
画像表示装置２００では、第１画素列１５５１に含まれる任意の赤色サブ画素１５２１を第１サブ画素とし、第１画素列１５５１に含まれない任意の赤色サブ画素１５２１を第２サブ画素とすると、第１サブ画素の補正量βは第２サブ画素の補正量βよりも小さくなっている。そのため、第１サブ画素と第２サブ画素に対して外部から同じ階調の画像データを供給すると、第１サブ画素で表示される画像の明るさは第２サブ画素で表示される画像の明るさよりも小さくなる。
【０１００】
また、第２画素列１５６１に含まれる任意の青色サブ画素１５４１を第１サブ画素とし、第２画素列１５６１に含まれない任意の青色サブ画素１５４１を第２サブ画素とすると、第１サブ画素の補正量βは第２サブ画素の補正量βよりも小さくなっている。そのため、第１サブ画素と第２サブ画素に対して外部から同じ階調の画像データを供給すると、第１サブ画素で表示される画像の明るさは、第２サブ画素で表示される画像の明るさよりも小さくなる。
【０１０１】
また、画像表示装置２００では、第１画素列１５５１に含まれる任意の緑色サブ画素１５３１を第３サブ画素とし、第１画素列１５５１及び第２画素列１５６１に含まれない任意の緑色サブ画素１５３１を第４サブ画素とすると、第３サブ画素の補正量βは第４サブ画素の補正量βよりも小さくなっている。そのため、第３サブ画素と第４サブ画素に対して外部から同じ階調の画像データを供給すると、第３サブ画素で表示される画像の明るさは、第４サブ画素で表示される画像の明るさよりも小さくなる。
【０１０２】
また、第２画素列１５６１に含まれる任意の緑色サブ画素１５３１を第３サブ画素とし、第２画素列１５６１に含まれない任意の緑色サブ画素１５３１を第４サブ画素とすると、第３サブ画素の補正量βは第４サブ画素の補正量βよりも小さくなっている。そのため、第３サブ画素と第４サブ画素に対して外部から同じ階調の画像データを供給すると、第３サブ画素で表示される画像の明るさは、第４サブ画素で表示される画像の明るさよりも小さくなる。
【０１０３】
第１実施形態の画像表示装置１００では、図３に示したように、第１画素列１５５に含まれる画素１５１の任意の赤色サブ画素１５２及び緑色サブ画素１５３の開口率と、第２画素列１５６に含まれる画素１５１の任意の青色サブ画素１５４及び緑色サブ画素１５３の開口率を、それ以外の画素１５１の同色のサブ画素の開口率よりも小さくしていた。
【０１０４】
これに対して、第２実施形態の画像表示装置２００では、サブ画素の開口率は、画像表示領域全体で全て等しくなっている。その代わりに、式（１５）に基づいて、サブ画素毎に補正量βを調節することにより、第１画素列１５５に含まれる任意の赤色サブ画素１５２及び緑色サブ画素１５３の画像の明るさと、第２画素列１５６に含まれる任意の青色サブ画素１５４及び緑色サブ画素１５３の画像の明るさとが、それ以外の同色のサブ画素で表示される画像の明るさよりも小さくなるようになっている。
【０１０５】
上式（１５）に基づいて計算した結果は、テーブル格納メモリ２１５にルックアップテーブルとして格納される。γ補正回路２１６は、そのルックアップテーブルを参照して、画像データｄ３に対してガンマ補正を行う。
【０１０６】
第１画素列１５５１に含まれる赤色サブ画素１５２１及び緑色サブ画素１５３１の補正量βと、第２画素列１５６１に含まれる青色サブ画素１５４１及び緑色サブ画素１５３１の補正量βは、S-CIELAB（Spatial CIELAB）による視覚シミュレーションによって決定される。
【０１０７】
計算手順は、図４に示したものと同じである。計算条件は、次の通りである。
・視距離：３０ｃｍ
・画素構造：ＲＧＢストライプ配置
・解像度：１３２ｐｐｉ
（画素数：１０２４×７６８ピクセル）
（サイズ：９．７インチ）
・色特性：図６
・γ：２．２
・入力画像：グレー画像
（ＲＧＢ＝［１２７，１２７，１２７］。ただし、表示可能な最大の階調は２５５）
・第１画素列の各サブ画素の補正量（青色サブ画素を１００％としてで規格化）：図１７
・第２画素列の各サブ画素の補正量（赤色サブ画素を１００％としてで規格化）：図１８
【０１０８】
図１９は、第１画素列１５５１を含む画像表示領域２３１Ａの左側半分の領域の画質の評価結果である。赤色サブ画素１５２１の補正量βｒを１００％、８０％、６０％、４０％、２０％、０％の６段階で変化させ、緑色サブ画素１５３１の補正量βｇを１００％、８０％、６０％、４０％、２０％、０％の６段階で変化させている。なお、図１９の「βｒ」及び「βｇ」は青色サブ画素１５４１の開口率βｂを１００％として規格化したものである。図１９中、上段側の数値は色差ΔＥ＊９４の平均値であり、下段側の数値は色差ΔＥ＊９４の最大値である。
【０１０９】
図１９において（βｒ、βｇ）＝（１００％、１００％）は、従来の構成である。（βｒ、βｇ）＝（１００％、１００％）における色差ΔＥ＊９４の平均値は３．８０であり、色差ΔＥ＊９４の最大値は１８．５５である。これよりも色差ΔＥ＊９４の平均値又は最大値の数値が小さければ、従来よりも偽色の発生が抑えられることを意味する。偽色の大きさは、色差の平均値で評価しても良く、最大値で評価しても良い。
【０１１０】
図１９に示すように、赤色サブ画素の補正量βｒと緑色サブ画素の補正量βｇを適切に調節することで、偽色の発生を抑えることができる。赤色サブ画素の補正量βｒを小さくすると、偽色の発生は概ね抑えられるが、赤色サブ画素の補正量βｒが小さくなりすぎると、逆に偽色は大きくなる。この理由としては、次のことが考えられる。
【０１１１】
まず、画像表示領域の左端部では、赤色サブ画素が画像表示領域の外枠を構成している。そのため、赤色が人間の眼に強く印象付けられ、画像表示領域の周縁部が赤っぽく認識される。これが、画像表示領域の左端部に赤色の偽色が発生する理由である。よって、画像表示領域の左端部に配置された赤色サブ画素の補正量βｒを小さくすれば、このような赤の色味が低減され、赤色の偽色の発生を抑えることができる。
【０１１２】
しかし、赤色サブ画素の補正量βｒを小さくしすぎると、今度は緑色のサブ画素の色が人間の眼に強く印象付けられてしまい、これが緑色の偽色を発生させる原因となる。よって、赤色サブ画素の補正量βｒを所定の範囲で適切に設計することで赤色の偽色の発生を効果的に抑制することが可能となる。
【０１１３】
このことは、緑色サブ画素の補正量βｇを小さくしすぎた場合にも言える。緑色サブ画素の補正量βｇを小さくしすぎると、青色サブ画素の色が人間の眼に強く印象付けられるため、青色の偽色を発生させる可能性がある。
【０１１４】
よって、赤色サブ画素の補正量βｒと緑色サブ画素の補正量βｇを所定の大きさ以上とした上で、赤色サブ画素の補正量βｒを緑色サブ画素の補正量βｇよりも小さくすれば、偽色の発生は概ね抑えられる。
【０１１５】
図２０は、第２画素列１５６１を含む画像表示領域２３１Ａの右側半分の領域の画質の評価結果である。青色サブ画素１５４１の補正量βｂを１００％、８０％、６０％、４０％、２０％、０％の６段階で変化させ、緑色サブ画素１５３１の補正量βｇを１００％、８０％、６０％、４０％、２０％、０％の６段階で変化させている。なお、図２０の「βｂ」及び「βｇ」は赤色サブ画素１５２１の補正量βｒを１００％として規格化したものである。図２０中、上段側の数値は色差ΔＥ＊９４の平均値であり、下段側の数値は色差ΔＥ＊９４の最大値である。
【０１１６】
図２０において（βｂ、βｇ）＝（１００％、１００％）は、従来の構成である。（βｂ、βｇ）＝（１００％、１００％）における色差ΔＥ＊９４の平均値は５．５８であり、色差ΔＥ＊９４の最大値は１７．９８である。これよりも色差ΔＥ＊９４の平均値又は最大値の数値が小さければ、従来よりも偽色の発生が抑えられることを意味する。
【０１１７】
図２０においても、図１９と同様の傾向が見られる。すなわち、青色サブ画素の補正量βｂを小さくすると、偽色の発生は概ね抑えられるが、青色サブ画素の補正量βｂが小さくなりすぎると、逆に偽色は大きくなる。青色サブ画素の補正量βｂと緑色サブ画素の補正量βｇを所定の大きさ以上とした上で、青色サブ画素の補正量βｂを緑色サブ画素の補正量βｇよりも小さくすれば、偽色の発生は概ね抑えられる。
【０１１８】
本実施形態の画像表示装置２００によれば、次のような効果が得られる。まず、偽色の原因となる画像表示領域２３Ａの最外周部のサブ画素の明るさが低減されるため、当該サブ画素の色が人間の眼に強く認識されることはない。そのため、偽色の発生が抑えられ、高画質な画像表示装置を提供することができる。また、画像表示領域２３Ａの最外周部に位置するサブ画素だけでなく、それに横方向で隣接するサブ画素の開口率も調節することで、より偽色の発生を抑えることができる。
【０１１９】
また、本実施形態の画像表示装置２００によれば、ガンマ補正に付随して階調の補正を行うことができるため、画像表示装置２００のサブ画素の構成は従来のものを流用することができる。よって、ガンマ補正の計算結果を記載したルックアップテーブルの内容を変更するのみで、本発明の効果を容易に得ることができる。
【０１２０】
なお、本実施形態では、S-CIELABの計算条件として、入力画像をグレー画像としたが、赤色サブ画素、緑色サブ画素、青色サブ画素を全て最大階調（例えば２５５階調）とする白色の画像を入力画像としても良い。この場合も、図１９及び図２０に示した評価結果と同様の結果が得られる。
【０１２１】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【符号の説明】
【０１２２】
２３Ａ…画像表示領域、１００…画像表示装置、１５１…画素、１５２…赤色サブ画素、１５３…緑色サブ画素、１５４…青色サブ画素、２００…画像表示装置、２１０…画像処理部、２３１Ａ…画像表示領域、１５１１…画素、１５２１…赤色サブ画素、１５３１…緑色サブ画素、１５４１…青色サブ画素、Ａｒ…赤色サブ画素の開口率、Ａｇ…緑色サブ画素の開口率、Ａｂ…青色サブ画素の開口率、βｒ…赤色サブ画素の補正量、βｇ…緑色サブ画素の補正量、βｂ…青色サブ画素の補正量
【図１】
2011197084.tif 000023
【図２】
2011197084.tif 000024
【図３】
2011197084.tif 000025
【図５】
2011197084.tif 000026
【図６】
2011197084.tif 000027
【図７】
2011197084.tif 000028
【図８】
2011197084.tif 000029
【図９】
2011197084.tif 000030
【図１０】
2011197084.tif 000031
【図１１】
2011197084.tif 000032
【図１２】
2011197084.tif 000033
【図１３】
2011197084.tif 000034
【図１４】
2011197084.tif 000035
【図１５】
2011197084.tif 000036
【図１６】
2011197084.tif 000037
【図１７】
2011197084.tif 000038
【図１８】
2011197084.tif 000039
【図１９】
2011197084.tif 000040
【図２０】
2011197084.tif 000041
【図４】
2011197084.tif 000042